(57)【要約】      （修正有）【課題】収納家具内の通気性を良好にし、湿気が停滞しない回転式収納家具を提供する。【解決手段】複数の収納家具を一カ所に集結し、収納物を区分けして整理するとともに、取り出しも容易にし、日常的に整頓でき、又、通気性を備える収納箱を有し、湿気が停滞するのを防止する回転機構を設けるとともに、この回転機構を覆う容器部を設けることで、密閉性を備え、湿気が浸入するのを防止し、効率的に容器内を除湿でき、又、回転機構を手動で操作し、回動自在に制御する。【選択図】図６
2014236914.tif 000002
【特許請求の範囲】
【請求項１】
本発明は、転動体を設け、この転動体を内部に並設する軸部及び軸受部と、この軸部及び軸受部の間に嵌入し、回動自在となる収納箱を設けた複数の収納部とともに、円板状のハンドルを設けた操縦部と、この操縦部と連接する円筒状の管部材を設けた伝動部と、この伝動部と接合する平板状の部材を複数に設けた旋回部と、この複数の旋回部と枢接する複数の前記収納部とを連設して構成する回転機構と、この回転機構を覆設する開閉部を設けた容器部とを有する回転式収納家具。
【請求項２】
本発明は、収納箱を有する収納家具において、格子状の面を備える収納箱と、この収納箱を内設する四角形状の部材と、この四角形状の部材の中央に扇状の半円板を設けるとともに、この半円板が前記四角形状の部材の四方に固着してなる上記収納部を特徴とする請求項1記載の回転式収納家具。
【請求項３】
本発明は、複数の収納箱を有する収納家具において、複数の上記収納部の中央に備えた半円板を凸設し、上記軸部及び軸受部を凹設した間にて嵌入するとともに、輪環面に沿って複数の前記収納部を平行に周設するところを特徴とする請求項１または請求項２記載の回転式収納家具。
【請求項４】
本発明は、歯車駆動及びチェーン駆動による回転機構を有する収納家具において、上記軸部及び軸受部との間に嵌入する複数の上記収納部に備えた半円板を介設するとともに、前記軸部及び軸受部との間にて、複数の前記収納部を水平に枢支する。また、この軸部及び軸受部に備えた転動体のころがりにより、この複数の収納部が前記軸部及び軸受部の円周内にて相対すべりするところを特徴とする請求項１から請求項３いずれかに記載の回転式収納家具。
【請求項５】
本発明は、電動駆動を有する回転機構を備える収納家具において、上記操縦部を手動により操作自在とし、上記伝動部の回転軸により軸架し、複数の上記旋回部を枢動するとともに、上記軸部及び軸受部の円周内で相対すべりすることにより、複数の上記収納部が回動自在となるところを特徴とする請求項１から請求項４いずれかに記載の回転式収納家具。
【請求項６】
本発明は、回転機構を有する収納家具において、上記回転機構と、複数の上記収納部に備える収納箱を出し入れ自在とする開閉部及び乾燥及び除湿剤を収蔵する収蔵部を設けた容器部と、この容器部が前記回転機構を覆設するとともに、この回転機構を密閉したところを特徴とする請求項１から請求項５いずれかに記載の回転式収納家具。
【請求項７】
本発明は、複数の上記収納部の回動自在となる回転機構を有する収納家具において、複数の前記収納部に備えた四角形状の部材の背面四隅に設けた回転棒と、上記回転機構の背面外縁に凹状の弓型部材を対円上に設けるとともに、この弓型部材が前記回転棒の一端を滑らかに転支することにより、複数の前記収納部が前記回転機構の回動自在に伴う、個々の収納部の傾き及び横揺れを防止したところを特徴とする請求項１から請求項６いずれかに記載の回転式収納家具。
【請求項８】
本発明は、回転機構を制御する安全性において、上記軸部の内周に円環状の部材を設けて固着し、この円環状部材の四方に半円状の溝部を形設するとともに、この溝内部に転動体を設けてなり、上記伝動部の中央に円筒状に設けた部材と、その一端を半円球状に形設する半円球体と、この円筒部材に介在し、弾性体を弾設してなる押止部からなり、前記円環状の部材の内側を摺接し、前記伝動部の回転軸により、一時滑止して、上記操縦部のハンドル操作の戻り止めしたところを特徴とし、また、前記操縦部に備える円板状ハンドルの中心にツマミを設け、このツマミをひねると前記伝動部の中央に設けたＩ状の部材が９０度に傾き、前記バネ材の圧縮を介し、前記半円球体が前記溝部に嵌る状態で押止することにより、前記伝動部の回転軸を軸止するとともに、複数の上記収納部の回動自在を固定したところを特徴とする請求項１から請求項７いずれかに記載の回転式収納家具。
【発明の詳細な説明】
【技術分野】
【０００１】
本発明は、衣服類・生活雑貨類・身の回り類などを収納する家財道具類に属し、とりわけ回転式収納家具に関するものである。
【背景技術】
【０００２】
従来の収納家具及び収納箱は、タンス類と棚類などがあり、収納方法が主に引き出し収納と棚収納に分けられ、収納物の整理整頓を目的とし、近年では、プラスチック製収納家具及び収納箱が主流である。そのプラスチック製収納家具及び収納箱の主な特徴が、収納物が透けて見え、どこに何を収納したのか分かりやすく、収納物の出し入れも容易で、木製と比べ軽い素材で作られ、軽量化しているため、運搬・移動・配置が容易なため、数多く所有する。収納の仕方によっては、多くの収納物を収納できるとともに、長期に渡って保管しても、埃の付着を防止できるところを特徴としている。以下、これら収納家具及び収納箱ならびにプラスチック製収納家具及び収納箱を収納家具と省略する。
【０００３】
近年、住宅事情により、従来の収納家具の多くは、換気がしにくい空間、主に押入れやクローゼットなどの場所内で、配置保管されている。しかし、これらの場所では、空気の入れ換えができにくく、前記収納家具内の通気性が悪くなることで、湿気が停滞し、季節によっては、カビ繁殖しやすい環境となる。そこで、大切な収納物を守るため、押入れやクローゼット内及び従来の収納家具内を、乾燥剤及び除湿剤を使用して除湿し、また、害虫を防止する防虫剤などとも併用し、収納保管しているのが現状である。
【先行技術文献】
【特許文献】
【０００４】
【特許文献１】特開２００７−５４５３８号公報
【特許文献２】特開２００４−３０７０５８号公報
【特許文献３】特開２００８−５６４８５号公報
【０００５】
特許文献１は、キャビネットの床下空間を十分に活用した回動式収納棚である。床にキャビネットを設置し、そのキャビネットの下方から床下に亘って収納部を設け、この収納部に複数の収納箱をキャビネットの前面に略平行な垂直面に沿って環状に配置し、収納箱を環状に回動させる回動機構を設けると共に、キャビネットの下方前面に開口を設け、そして、その収納箱を回動させたとき、収納箱が最も高くなる位置で、その収納箱の底面が床面と略面一となるようにし、キャビネットの下方前面に設けられた開口から、その収納箱を出し入れ自在になる。その動力は、回転機構が電動駆動であり、キャビネットに電動駆動をオンオフするスイッチを設けたことを特徴とする回転式収納棚である。
【０００６】
特許文献２は、住宅の収納で住宅の無駄な空間を収納の用途に有効に活用されるよう引き出しボックスを数段重ね回転させて使用する回転式収納箱である。住宅の収納で、引き出しボックスを床下、天井裏、使用部分の立面（見付け面）裏側の部分を有効天井裏に数段積み重ね出し入れが、簡単に出来るよう引利用する。使用部分と格納部分の移動を、上下移動、引き出しボックスを上下前後に回転移動させ、衣服等を出後移動させる。複数の引き出しボックスを前後に数段積み重ね駆動歯車をチェーンで連結、チェーンよりアームを固定、アームの先に複数の引き出しボックスを吊り下げ回転させて引き出しを使用するところを特徴とした回転式収納箱である。
【０００７】
特許文献３は、利用者が自分のすきなときに衣類を出し入れでき、しかも保管中に衣類にかびが生えるのも防止できる新たな回転式衣類収納ボックスコンベヤである。衣類を収納できる縦長の複数の収納箱を互いに平行を保たせた状態で環状に連ね、水平面内で循環するチェーンによって一つ一つの収納箱を水平方向に移動させる。収納箱ごとに利用者の衣類を区別でき、又、利用者が安心して衣類の保管業者に預けることができる。縦長の収納箱は環状に連ねられると共にチェーンによって水平方向に移動されるので、空間の利用効率がよく、狭い空間であっても多数の収納箱を配置するところを特徴としている回転式衣類収納ボックスコンベヤである。
【発明の概要】
【発明が解決しようとする課題】
【０００８】
従来の収納家具は、収納物が透けて見え、目視しやすく、どこに何を収納したのか、分かりやすい半面、数多く所有するようになったことで、収納家具が複数になり、かさ張ったり散乱したりして、逆に整理整頓するのが面倒であった。また、押入れやクローゼット内の空間は、収納範囲が限られているため、複数の収納家具を積み重ねした状態で、長期に保管しがちになるとともに、保管場所も把握できなくなるという課題がある。
【０００９】
押入れやクローゼット内の空間は、従来の収納家具を取り出しにくい高い場所や風通ししにくい奥の場所に、押し込んでしまうことにより、自然換気ができず、収納家具内の通気性も悪くなり、特に梅雨の時期では、湿気の飽和状態により、カビ繁殖するという特有の問題があり、また、押入れやクローゼット内及び収納家具内で、発生し停滞する湿気を取り除くために、乾燥剤や除湿剤を使って除湿していたが、わずかな隙間から再び湿気が入り込むことにより、幾ら乾燥剤や除湿剤を使用しても除湿効力が差ほど高められず、さらに、効率的に除湿するため、数多くの乾燥剤及び除湿剤を使うとともに、随時、取替えが必要になるという課題がある。
【００１０】
上記の特許文献１に示すこの種の収納棚は、キャビネットの床下空間を十分に活用しているが、キャビネットの床下空間にあることで、収納棚自体が移動不可で取り出しにくく、用途が限定される欠点がある。また、回転機構が電動駆動であり、キャビネットに電動駆動をオンオフするスイッチを設けた仕組みでは、電力が失われたら収納物が取り出せないとともに、スイッチが壊れてしまえば制御不能、また、床下は、湿気の温床となる空間であるため、収納保管するのに問題がある。
【００１１】
上記の特許文献２に示すこの種の収納具は、引き出しボックスを数段重ね回転させて使用するものだが、床下から天井裏にまで亘って、複数の引き出しを水平面に環状に設け、環状に回動できる収納装置が開示されている。しかしながら、この収納装置においては、収納装置の大部分が居住空間にあるため、収納スペースと引き換えに、居住空間が狭くなってしまうし、歯車駆動及びチェーン駆動という機械仕掛けにより、チェーンが切れたり、歯車が動かなかったりした際に起こる収納装置なるものが重みで落下するなどの安全面に問題がある。
【００１２】
上記の特許文献３に示すこの種の収納機具は、利用者が自分のすきなときに衣類を出し入れでき、しかも保管中に衣類にかびが生えるのも防止できる新たな回転式衣類収納ボックスコンベヤではあるが、大型で大掛かりな回転機構を備えた半面、多くのものを収納しにくく、収納する容量が限られてしまう、また、保管場所も大規模な保管システムを施す費用に対する効果が低いとともに、定期的にメンテナンスが不可欠であるなどの問題がある。
【００１３】
従来の収納家具の問題点を鑑み、複数の収納家具を一カ所に集結し、収納物を区分けして整理するとともに、取り出しを容易にし、日常的に整頓するかであり、また、押入れやクローゼット内の空間に限らず、大気中は、実際に水蒸気が含まれているため、湿気は存在する。そこで、通気性を備える収納箱を有する収納家具に設け、湿気が停滞するのを防止する回転機構を設けるとともに、密閉性を備える収納家具にすることにより、再び湿気が浸入するのを防止する密閉容器を設けるかである。
【００１４】
上記記載の特許文献１〜３収納家具の問題点を鑑み、収納家具を軽量の素材で形成するとともに、小型の収納家具を設けて、運搬・移動・配置を簡便にするかであり、また、上記記載の特許文献１〜３収納家具で構成する歯車駆動及びチェーン駆動並びに電動駆動における動力面及び安全面の問題について、本発明では、回転機構を手動操作するとともに、テコの原理を利用して回転機構の回動を安全に制御するかである。したがって、上述の問題点を解決しようとするものである。
【課題を解決するための手段】
【００１５】
以下、添付図面を参照し、本発明の構成要素について、全体の要旨を説明する。
【００１６】
本発明の円筒状の回転機構（図１）は、同心円上に設けた内輪にある軸部及び外輪にある軸受部と、この軸部及び軸受部の間に嵌入する収納箱を複数に設けた収納部とともに、前面に円板状のハンドルを設けた操縦部と、中央に円筒状の管部材を設けた伝動部と、背面に平板状の部材を複数に設けた旋回部とで構成し、この回転機構を覆うように設けるとともに、複数の前記収納部に備えた収納箱を出し入れ自在にする開閉部を設けた容器部とを有する請求項１記載の回転式収納家具である。前記軸部及び軸受部（図２）は、内側部分をＣ形状し外側部分を凹形状にし、双方が向き合うよう輪環状に形成するとともに、その軌道内部に転動体を一列に並べ揃えるところを特徴する。複数の前記収納部（図３）は、収納箱を内蔵する四角形状の部材と、この四角形状の部材の中央に扇状の半円板を四方に固着するとともに、この半円板が前記軸部及び軸受部の間の窪みに嵌入するところ特徴する。前記操縦部（図４）は、円板状のハンドルを手で回して操作することにより、手動による動力が発生し力点となる。前記操縦部と連接する前記伝動部（図４）は、発生した動力を伝える円筒状の管部材が回転可能に架け渡しする。前記伝動部と接合する前記旋回部（図４）は、伝動部の管状の回転軸と接合する部分が支点となり、複数の平板状の部材を旋回運動する。前記旋回部の一端と回転可能に接続する複数の前記収納部（図４）は、この接点部分が作用点となり、テコの原理を利用し、回動自在になる（図５）ところを特徴とし、また、前記軸部及び軸受部にて介在する複数の前記収納部に備える半円板とが、転動体のころがりを介し、相対すべりをするところを特徴とする。前記容器部（図６）は、上述の各部分とで構成する回転機構を隙間なく覆い密閉するところを特徴とする。
【００１７】
以下、添付図面を参照し、収納家具の通気性における課題について、解決するための手段を説明する。
【００１８】
本発明の収納部（図３）は、通気性の劣悪な収納箱を有する収納家具において、格子状の面を両側面に設けた収納箱（図７）と、この収納箱を内蔵する四角形状に設けた部材とともに、この四角形状の部材の中央に固着する扇状の板を四方に設けた半円板（図８）とを備えたところを特徴とする。前記収納箱の両側面に備えた格子面の隙間が、収納箱内の通気性を改良するところを手段とした請求項１〜２記載の回転式収納家具である。
【００１９】
以下、添付図面を参照し、従来の収納家具を数多く所有することにより、かさ張ったり散乱したりする、これら課題について、解決するための手段を説明する。
【００２０】
本発明（図９）は、収納箱を有する収納家具において、複数の上記収納部が備えた半円板を凸形状に設け、上記軸部及び軸受部を凹形状に設けた間に、複数の上記収納部が備える半円板を嵌入するとともに、この内輪にある軸部及び外輪にある軸受部の輪環面の周りに沿い、複数の前記収納部を平行に配置することにより、この複数の収納部を一カ所に集結するとともに、内蔵する収納箱を区分け整理し、収納物を整頓及び取り出しを容易にするところを手段とした請求項１〜３記載の回転式収納家具である。
【００２１】
以下、添付図面を参照し、上記記載の特許文献１〜３収納家具おいて、共通する機械駆動における課題について、解決するための手段を説明する。
【００２２】
本発明（図１０）は、上記軸部及び軸受部との間に嵌入する複数の上記収納部に備える半円板を部材間に位置し、この複数の収納部に備える半円板の凸部分が、前記軸部及び軸受部両方の凹部分の間で水平に支持するとともに、この軸部及び軸受部に備えた転動体のころがり（図２）を介し、複数の前記収納部が円周内で相対すべり（図１１）するところを特徴とする。よって、本発明では、収納物による重量を歯車駆動及びチェーン駆動で荷重を支持することなく、転動体のころがりを介し、円周内で相対すべりすることにより、収納物の重量による荷重及び摩擦を軽減するところを手段とする請求項１〜４記載の回転式収納家具である。
【００２３】
以下、添付図面を参照し、上記記載の特許文献１〜３収納家具において、電動駆動における動力の課題について、解決するための手段を説明する。
【００２４】
本発明（図１２）は、上記操縦部（図１７）に備えたハンドルを正逆両方向へ操作することにより、上記伝動部に備えた管状の回転軸を回転可能にし、上記旋回部に備えた複数の平板部材が、管状の回転軸を中心に旋回運動にするとともに、上記軸部及び軸受部に備えた転動体のころがりを介し、複数の上記収納部が円周内の相対すべり（図１１）に伴い、テコの原理を利用して、正逆両方向へ円運動する（図５）ところを特徴とし、前記操縦部は、円板状のハンドルを手動により、正逆両方向へ操作自在にし、前記伝動部は、手動により伝えられる動力が、管状の回転軸を回転可能にし、前記旋回部は、平板状に設けた複数の部材の一端を繋ぎ合わせて固着し、管状の回転軸よって旋回運動するとともに、もう片方の平板部材の一端も旋回可能になり、また、この片方の平板部材に固定する円筒状の回転棒を設け、この回転棒が回転可能に接続することにより、複数の前記収納部を回動自在になるところを手段とする請求項１〜５記載の回転式収納家具である。
【００２５】
以下、添付図面を参照し、押し入れやクローゼット内の空間で換気ができず、従来の収納家具の通気性が悪くなる、これら空間及び家具内に湿気が停滞する問題について、解決するための手段を説明する。
【００２６】
本発明の上記回転機構（図１）と、複数の上記収納部（図３）に備える収納箱を出し入れ自在にする開閉部を設けた容器部（図６）と、この容器部が回転機構を隙間なく覆うように設けることで、この回転機構内を密閉した状態にするところを特徴とした請求項１〜６記載の回転式収納家具である。この容器部は、常に回転機構を密閉するが、収納箱を取り出しする際、一時的に開閉することで、容器部内の空気を換気すると同時に、外気とともに湿気が浸入する。そこで、収納箱を出し入れした後、開閉部を閉塞して、再び、密閉した状態にした後、回転機構の回動によって、容器部内の空気を循環するとともに、浸入した湿気の停滞を防止し、また、停滞する湿気を循環しても、湿気が容器部内に存在するが、容器部が密閉した状態を保持するため、新たな湿気の浸入はない。そこで、この容器部に乾燥剤及び除湿剤を収蔵する収蔵部を設け、この容器部内の湿気を効率的に除湿するところを手段とする。
【００２７】
以下、添付図面を参照し、本発明の回転機構による複数の上記収納部の回動において、収納物の荷重により、複数の前記収納部が傾いたり横揺れしたりする課題について、解決するための手段を説明する。
【００２８】
本発明（図１３）は、複数の収納部に備えた四角形状の部材の背面四隅に設けた回転棒と、回転機構の後面外縁に凹状の弓形部材を設けてなり、複数の収納部の回動自在に伴い、この弓形部材の端部分に、この回転棒の一端が掛かり、この内部を転がりながら滑る状態で支えることにより、個々の収納部の傾き及び横揺れを抑止するところを特徴とした請求項１〜７記載の回転式収納家具である。回転棒（図１４）は、複数の収納部に備えた四角形状の部材の背面四隅に、回転する円筒状の丸棒ａ点・ｂ点・ｃ点・ｄ点に設け、この回転棒の一部が弓型部材の端部分１・２・３・４に掛かり、弓形部材の内部を転がりながら滑る。弓形部材は、回転機構後面の外縁に弓形部材を対円上に配置し、複数の収納部の回動自在に伴い、転がり滑る回転棒を前記弓形部材が支えることにより、個々の収納部の傾き及び横揺れを防止する。また、収納部から収納箱を、取り出す時やしまい込む時と同じ、一定の向きを維持するところを手段とする。
【００２９】
以下、添付図面を参照し、回転機構の操作及び制御による安全面の課題について、解決する手段を説明する。
【００３０】
本発明（図１５）は、上記軸部内周に円環状の部材を設けて固着し、この円環状の部材の四方に半円状の溝部を形成し、この溝内部に転動体を設けてなり、上記伝動部の中央に円筒状の部材と、その一端を半円球状に形成した半円球体と、この円筒部材の間に位置するバネ材を伸縮自在に設けた押止部からなり、この押止部（図１６）に備えた半円球体が前記伝動部の回転軸により、前記円環部材の内側を滑る状態で接触しつつ旋回運動し、前記バネ材の伸縮自在を介し、前記溝部で嵌ったりはずれたりする状態に伴い、一時的に滑り止めすることにより、上記操縦部に備えるハンドルの操作戻りを防止し、また、このハンドルの中心にツマミ部を設け、このツマミ部をひねると前記伝動部の中央に設けたＩ状の部材が９０度に傾き、前記バネ材を圧縮し、前記半円球体が前記溝部に嵌った状態で押し止めし、前記伝動部の回転軸を固定するとともに、複数の上記収納部を引き出しする定位置で動かないように固定したところを特徴とした請求項１〜８記載の回転式収納家具である。よって、上記回転機構の操作によるハンドル戻りを防止及び複数の上記収納部の回動自在を制御するところを手段とする。
【発明の効果】
【００３１】
従来の収納家具は、収納物が透けて見え、目視しやすく、どこに何を収納したのか、分かりやすい半面、数多く所有するようになったことで、収納家具が複数になり、かさ張ったり散乱したりして、逆に整理整頓するのが面倒になる。また、押入れやクローゼットの空間は、収納範囲が限られているため、複数の収納家具が積み重ねした状態で長期に保管してしまい、保管場所も把握しにくくなるという、これら課題に対して、本発明は、複数の上記収納部が備える半円板を凸形状に設け、軸部及び軸受部を凹んだ形状に設けた間にて嵌入し、内輪にある軸部及び外輪にある軸受部の輪環面の周りに沿い、複数の前記収納部を平行に配置することにより、かさ張ったり散乱したりすることなく、複数の収納家具を一カ所に集結して保管することができ、また、収納物も各部分の上記収納部に区分けして整理ができるため、把握しやすくなるとともに、取り出しも容易になり、日常的に整頓ができるようになる。（図２）（図９）（図３）
【００３２】
押入れやクローゼットの空間は、取り出しにくい高い場所や風通ししにくい奥の場所に従来の収納家具を配置すると、換気ができない状態に伴い、通気性が悪くなり、季節によって、湿気がこもり停滞し、カビ繁殖にさらされるという特有の問題に対して、停滞する湿気を取り除くために、乾燥剤及び除湿剤を使って除湿していたが、僅かな隙間から再び湿気が入り込むことになり、幾ら乾燥剤及び除湿剤を使用しても除湿効力が差ほど高められず、さらに、効率的に除湿するためには、数多くの乾燥剤及び除湿剤を、随時、取替えが必要となる。そこで、本発明は、通気性の劣悪な収納箱を有する収納家具において、格子状の面を両側面に設けた収納箱と、この収納箱を内蔵する四角形状に設けた部材と、この四角形状の部材の中央に固着する扇状の板を四方に設けた半円板とを備えたことにより、前記収納箱の両側面に備える格子面の隙間が、収納箱の通気性を改良し、手動による上記回転機構の円運動によって起こる空気の流れを利用し、上記容器部内の空気を循環し、湿気の停滞を防止し、また、この容器部が回転機構を密閉することにより、乾燥剤及び除湿剤による除湿効力を効率的にするとともに、数少ない量の乾燥剤及び除湿剤による除湿効果を上げることができる。（図７）（図３）（図６）
【００３３】
本発明は、運搬・移動・配置を簡便にするために、軽量・耐衝撃・耐水・可塑性を示す合成樹脂を原材料に成型加工し、住宅事情を鑑み、本発明の回転式収納家具の寸法が１メートル弱であるため、押入れやクローゼットの空間に配置が可能になる、又、この回転式収納家具本体が各部分に分解でき、運搬及び移動を可能になるとともに、組立て可能の家具にもなる。
【００３４】
上記記載の特許文献１〜３収納家具で構成する歯車駆動及びチェーン駆動並びに電動駆動における安全面の課題に対し、本発明の回転式収納家具は、回転機構を手動操作するとともに、テコの原理を利用して回転機構の回動自在を安全に制御できる。又、この回転式収納家具は、上記操縦部が力点となり、この力を加える点から、上記伝動部と上記旋回部との接合部分が支点となり、この中心にある接合点までの距離が遠く、この支点から、前記旋回部と複数の上記収納部との枢接部分が作用点となり、この力が作用する枢接部分までの距離が近いことにより、少ない力で、収納物を入れた複数の前記収納部が、ある程度の重量になっても回転運動することができる。又、上記軸部及び軸受部に備えた転動体を介し、円周内で相対すべりする円運動によって、複数の上記収納部が、円周内で転がりながら滑る状態になることで、重量物による荷重を分散できるとともに、重量物による摩擦を軽減できる。又、円周内で転がりながら滑る複数の前記収納部を上記押止部によって制御できるとともに、上記回転棒を上記弓形部材が支えることにより、個々の収納部の傾き及び横揺れを防止し、本発明の回転式収納家具を安全に使用することができる。（図１）（図１７）（図４）（図５）（図１１）（図１２）
【図面の簡単な説明】
【００３５】
【図１】本発明の回転機構を示し、正面及び側面を表す斜視図である。
【図２】本発明の回転機構を分解し、軸部及び軸受部と転動体を示す拡大斜視図である。
【図３】本発明の収納箱を内蔵した回転機構を示し、正面・側面・平面を表す斜視図である。
【図４】本発明の回転機構を示し、背面及び側面を表す斜視図である。
【図５】本発明の回転機構が、テコの原理を利用し、回動するところを示す斜視図である。
【図６】本発明の容器部が回転機構を覆うところを示す、斜視図である。
【図７】本発明の回転機構を分解し、収納部だけを示す斜視図である。
【図８】本発明の複数の収納部に備えた半円板を示す斜視図である。
【図９】本発明の複数の収納部を軸部及び軸受部に平行に配置するところを示す正面図である。
【図１０】本発明の軸部及び軸受部が複数の収納部を水平に支持するところを示す側面図である。
【図１１】本発明の複数の収納部が軸部及び軸受部の転動体を介し、相対すべりをするところを示す、斜視図である。
【図１２】本発明の操縦部のハンドル操作により、伝動部の回転軸を介し、旋回部を旋回可能とするところを示す、背面斜視図である。
【図１３】本発明の回転機構の回動に伴う、複数の収納部の傾き及び横揺れ防止するところを示す、背面図である。
【図１４】本発明の回転機構の回動自在に伴い、回転棒ａ点・ｂ点・ｃ点・ｄ点が移動するとともに、弓形部材の一端が１・２・３・４の順に掛かる方向を示す、背面図である。
【図１５】本発明の回転機構の操作によるハンドル戻りを防止及び複数の収納部の回動自在を制御するところ示す、斜視図である。
【図１６】本発明の回転機構の操作によるハンドル戻りを防止及び複数の収納部の回動自在を制御するところ示す、拡大正面図である。
【図１７】本発明の回転機構をハンドルにより、正逆両方向に手動で操作する操縦部を示す、正面図である。
【発明を実施するための形態】
【００３６】
以下、添付図面を参照し、本発明を実施するための形態要素について、全体の要旨を説明する。
【００３７】
本発明の円筒状の回転機構（図１）は、同心円上に設けた内輪にある軸部及び外輪にある軸受部と、この軸部及び軸受部の間に嵌入する収納箱を複数に設けた収納部とともに、前面に円板状のハンドルを設けた操縦部と、中央に円筒状の管部材を設けた伝動部と、後面に平板状の部材を複数に設けた旋回部と、複数の前記収納部に備えた収納箱を出し入れ自在にする開閉部を設けた容器部とを有する請求項１記載の回転式収納家具である。前記軸部及び軸受部（図２）は、内側部分をＣ形状し外側部分を凹形状にし、双方が向き合うよう輪環状に形成し、その軌道内部に転動体を一列に並べ揃え、潤滑剤を用いるところを示す。複数の前記収納部（図３）は、収納箱を内蔵する四角形状の部材と、この四角形状の部材の中央に扇状の半円板を四方に固着し、この半円板が前記軸部及び軸受部の間の窪みに嵌入するところを示す。前記操縦部（図４）は、円板状のハンドルを形成し、このハンドルを人の力で回して操作するところを示す。前記操縦部と連接する前記伝動部（図４）は、発生した動力を伝える円筒状の管部材を形成し、この管部材が回転軸となり架け渡しするところを示す。前記伝動部と接合する前記旋回部（図４）は、伝動部による回転軸と接合する複数の平板状の部材を形成し、この複数の平板状の部材が旋回運動するところを示す。前記旋回部の一端と回転可能に接続する複数の前記収納部（図４）は、この接点する部分が作用して、梃子の原理を利用し、回動自在になる（図５）ところを示す、また、前記軸部及び軸受部にて介在する複数の前記収納部に備える半円板が、転動体のころがりを介し、円周内で相対すべりをする（図２）ところを示す。前記容器部（図６）は、上述の各部分で構成する回転機構を隙間なく覆い密閉するところを示す。
【００３８】
以下、添付図面を参照し、本発明の複数の上記収納部が通気性を備えた形態を説明する。
【００３９】
本発明の収納部（図３）は、格子状の面を両側面に設けた収納箱（図７）と、この収納箱を内蔵する四角形状に設けた部材とともに、この四角形状の部材の中央に固着する扇状の板を四方に設けた半円板（図８）とを備え、前記収納箱の両側面に備えた格子面の隙間が収納箱内の空気及び湿気を上記容器部内（図６）に排出することにより、この収納箱内の通気性を備えたところを示す請求項１〜２記載の回転式収納家具である。
【００４０】
以下、添付図面を参照し、本発明の複数の上記収納部が一カ所に集結するとともに、収納箱を区分け整理し、取り出しを容易にする形態を説明する。
【００４１】
本発明は、収納箱を有する収納家具において、複数の収納部（図８）が備えた半円板を凸形状に設け、上記軸部及び軸受部（図２）を凹んだ形状に設けた間に嵌入するとともに、この内輪にある軸部及び外輪にある軸受部の輪環面上の周りに沿い、複数の前記収納部を平行に配置する（図９）ところ示す請求項１〜３記載の回転式収納家具である。
【００４２】
以下、添付図面を参照し、本発明の上記軸部及び軸受部に備えた転動体のころがりを介し、この軸部及び軸受部の円周内で、複数の上記収納部が相対すべりする形態を説明する。
【００４３】
本発明は、上記軸部及び軸受部との間に嵌入する複数の上記収納部に備える半円板を部材間に位置し、この複数の収納部に備える半円板の凸部分が、前記軸部及び軸受部両方の凹部分の間で水平に支持する（図１０）とともに、軸部及び軸受部に備えた転動体のころがり（図２）を介し、この軸部及び軸受部の円周内で、複数の前記収納部が相対すべり（図１１）するところ示す請求項１〜４記載の回転式収納家具である。
【００４４】
以下、添付図面を参照し、本発明の回転機構を手動で回動自在になる形態を説明する。
【００４５】
本発明（図１２）は、上記操縦部（図１７）に備えたハンドルを正逆両方向へ操作することにより、上記伝動部に備えた管状の回転軸を回転可能にし、上記旋回部に備えた複数の平板部材が、管状の回転軸を中心に旋回運動にするとともに、上記軸部及び軸受部に備えた転動体のころがりを介し、この円周内で複数の上記収納部が相対すべり（図１１）することにより、テコの原理を利用し、正逆両方向へ円運動する（図５）ところを特徴とし、前記操縦部は、円板状のハンドルを手動により、正逆両方向へ操作自在にし、前記伝動部は、手動により伝えられる動力が、管状の回転軸を回転可能にし、前記旋回部は、平板状に設けた複数の部材の一端を繋ぎ合わせて固着し、管状の回転軸よって旋回運動するとともに、もう片方の平板部材の一端も旋回可能になり、この片方の平板部材に固定する円筒状の回転棒を設け、この回転棒が回転可能に接続することにより、複数の前記収納部を回動自在となるところを示す請求項１〜５記載の回転式収納家具である。
【００４６】
以下、添付図面を参照し、本発明の容器部内の湿気を効率的に除湿する形態を説明する。
【００４７】
本発明の回転機構（図１）と、複数の上記収納部（図３）に備えた収納箱を出し入れ自在にする開閉部を設けた容器部（図６）と、前記容器部が前記回転機構を隙間なく覆うように設けることで、回転機構を密閉した状態にするところを示す。この容器部は、常に回転機構を密閉するが、収納箱を取り出しする際、一時的に開閉することで、容器部内の空気を換気すると同時に、外気とともに湿気が浸入する。そこで、収納箱を出し入れした後、開閉部を閉塞して、再び、密閉した状態にした後、前記回転機構の回動によって、容器部内の空気を循環するとともに、浸入した湿気の停滞を防止し、また、停滞する湿気を循環しても、湿気が容器部内に存在するが、容器部が密閉した状態を保持するため、新たな湿気の浸入はない。そこで、この容器部に乾燥剤及び除湿剤を収蔵する収蔵部を設け、この容器部内の湿気を効率的に除湿するところを示す請求項１〜６記載の回転式収納家具である。
【００４８】
以下、添付図面を参照し、本発明の回転機構の回動自在に伴う複数の収納部の傾き及び横揺れを防止する形態を説明する。
【００４９】
本発明（図１３）は、複数の上記収納部に備えた四角形状の部材の背面四隅に設けた回転棒と、上記回転機構の背面外縁に凹状の弓形部材を設けてなり、複数の前記収納部が回転機構の回動自在に伴い、この弓形部材の端部分に、この回転棒の一端が掛かり、この内部を転がりながら滑る状態で支えることにより、個々の収納部の傾き及び横揺れを抑止するところを特徴とする。回転棒（図１４）は、複数の収納部に備えた四角形状の部材の背面四隅に、回転する円筒状の丸棒ａ点・ｂ点・ｃ点・ｄ点に設け、この回転棒の一部が弓型部材の端部分１・２・３・４に掛かり、弓形部材の内部を転がりながら滑る。弓形部材（図１４）は、回転機構背面の外縁に弓形部材を対円上に配置し、複数の収納部の回動自在に伴い、転がり滑る回転棒ａ点・ｂ点・ｃ点・ｄ点が移動しながら、この弓形部材の一１・２・３・４の順に掛かり支えることにより、個々の収納部の傾き及び横揺れを防止し、また、収納部から収納箱を取り出す時やしまい込む時と同じ、一定の向きを維持するところを示す請求項１〜７記載の回転式収納家具である。
【００５０】
以下、添付図面を参照し、本発明の上記回転機構の操作に伴うハンドル戻りを防止及び複数の上記収納部の回動自在を安全に制御する形態を説明する。
【００５１】
本発明（図１５）は、上記軸部内周に円環状の部材を設けて固着し、この円環状の部材の四方に半円状の溝部を形成し、この溝内部に転動体を設けてなり、上記伝動部の中央に円筒状の部材と、その一端を半円球状に形成した半円球体と、この円筒部材の間に位置するバネ材を伸縮自在に設けた押止部からなり、この押止部（図１６）に備えた半円球体が前記伝動部の回転軸により、前記円環部材の内側を接触しながら滑る状態で旋回運動し、前記バネ材の伸縮自在を介し、前記溝部で嵌ったりはずれたりするとともに、一時的に滑り止めすることにより、上記操縦部に備えるハンドルの操作戻りを防止し、また、このハンドルの中心にツマミ部を設け、このツマミ部をひねると前記伝動部の中央に設けたＩ状の部材が９０度に傾き、前記バネ材を圧縮し、前記半円球体が前記溝部に嵌った状態で押し止め、前記伝動部の回転軸を固定するとともに、複数の上記収納部を引き出しする定位置で動かないように固定したところを示す、また、固定した複数の前記収納部を再び、回動自在にするためには、前記ツマミ部をひねり戻し、前記操縦部のハンドルを操作することにより、前記溝部に備えた転動体を介し、前記バネ材の圧縮とともに、この溝部で嵌った状態の半円球体が外れ出るところを特徴とする請求項１〜８記載の回転式収納家具である。
【図１】
2014236914.tif 000003
【図２】
2014236914.tif 000004
【図３】
2014236914.tif 000005
【図４】
2014236914.tif 000006
【図５】
2014236914.tif 000007
【図６】
2014236914.tif 000008
【図７】
2014236914.tif 000009
【図８】
2014236914.tif 000010
【図９】
2014236914.tif 000011
【図１０】
2014236914.tif 000012
【図１１】
2014236914.tif 000013
【図１２】
2014236914.tif 000014
【図１３】
2014236914.tif 000015
【図１４】
2014236914.tif 000016
【図１５】
2014236914.tif 000017
【図１６】
2014236914.tif 000018
【図１７】
2014236914.tif 000019